(57)【要約】【課題】コードと操作レバーを非接触の構成とすることで、コードと作業者の手等とを非接触とさせ、コードの損傷を防止させるとともに作業効率を向上させる着脱工具を提供すること。【解決手段】光ファイバを挿通するガイド片５と、ガイド片５の基部側に設けられる把手部１と、ガイド片５の先端側に設けられ光ファイバのコネクタに差し込みされる爪２と、把手部１の側方から爪２を開閉操作可能な間隙Ｅを介して設けられる操作レバー４とで構成するとともに、光ファイバと操作レバー４に設けられる操作部４ａとが触れないようガイド片５を長尺に設け、間隙Ｅを保護するカバー部材を備えることで上記課題を解決する。【選択図】　　　　　　　　図１
2004101561.tif 000002
【特許請求の範囲】
【請求項１】
光ファイバを挿通するガイド片を長尺に設け、ガイド片の基部側に設けられる把手部と、ガイド片の先端側に設けられコネクタに差し込みされる爪と、把手部の側方から爪を開閉操作可能な間隙を介し、上記ガイド片に対応して長尺に設けられる操作レバーから構成されるとともに、上記間隙を保護するカバー部材を備えることを特徴とするコネクタ着脱工具。
【請求項２】
請求項１記載のコネクタ着脱工具において、上記ガイド片には、長手方向の長さを調整する調整機構が設けられることを特徴とするコネクタ着脱工具。
【請求項３】
請求項１又は２記載のコネクタ着脱工具において、上記カバー部材は、上記操作レバーに装着される操作レバー装着部と、上記把手部に装着される把手装着部とを連結する弾性材からなり、上記操作レバー装着部の表面が粗化されていることを特徴とするコネクタ着脱工具。
【発明の詳細な説明】
【０００１】
【発明の属する技術分野】本発明は、光ファイバのコードが引出されているコネクタ（接続プラグ）をアダプタ（接続アダプタ）に着脱する際に使用されるコネクタ着脱工具に係る技術分野に属する。
【０００２】
【従来の技術】従来、コネクタ着脱工具としては、例えば、図７に示すものが知られている。
【０００３】
この従来のコネクタ着脱工具は、光ファイバのコードＬが引出されたアダプタＡに複数個が並列接続されたコネクタＣ（この業界では光ファイバ用ＳＣ２コネクタと呼ばれる）を着脱するために使用されるものである。
【０００４】
従来のコネクタ着脱工具の構成は、光ファイバのコードＬを挿通するガイド片５と、ガイド片５の基部側に設けられ握棒形の把手部１と、ガイド片５の先端側に設けられ光ファイバのコネクタＣに差し込みされるＬ字形の爪２と、爪２から延びて支点３を介して把手部１の両側方に突出されて爪２を開閉操作する操作レバー４と、操作レバー４の爪２とは他方側に設けられ、把手部１を把持しながら操作レバー４を操作するための操作部４ａと、操作レバー４を通常時外側へ張り出すように付勢するバネ部材９とを備えたものである。なお、ガイド片５は、コネクタＣとコードＬをガイドできるように先端部５ａがカニの爪の形状に、本体部５ｂが上部を開放された半筒形をしている。
【０００５】
この従来のコネクタ着脱工具によると、コネクタＣをアダプタＡから引抜く際に、コードＬをガイド片５から把手部１の上に沿わせておき、バネ部材９を圧縮して操作レバー４の操作部４ａを把手部１側に押込むことで爪２を開き（支点３により動き方向が反転するため）、コネクタ着脱工具全体を前進させて爪２をコネクタＣの溝に対峙させた後、操作部４ａを開放して閉じる爪２をコネクタＣの溝に差し込むようにする。そして、把手部１を握って手前に引くことで、コネクタＣをアダプタＡから引抜くことができる。このような従来のコネクタ着脱工具は、以下の特許文献等に記載されている。
【０００６】
【特許文献１】
特開２００２−２３０１２号公報
【０００７】
【発明が解決しようとする課題】しかしながら、前述の従来のコネクタ着脱工具では、把手部１を把持する作業者の手がコードＬに接触してしまい、コードＬ及びアダプタに接続されている他のコードを損傷させてしまう危険性がある。さらには、コネクタＣをアダプタＡから引抜く際、アダプタＡから抜くべきコードＬ以外のコードが操作レバー４と把手部１の間隙Ｅに挟み込まれる可能性が高くなるとともに、間隙Ｅに挟み込まれた状態で把手部１を引いてしまうとコードを損傷させてしまうという課題を有する。
【０００８】
特に、コードが密集する場合には、多数のコードＬを選り分けて目的のコネクタを脱着する必要がある。よって、コードＬは把手部１及び操作部４ａ、又は作業者の手等に接触することで損傷される可能性がより高くなるため、作業者は常にコードＬの挟み込みに注意を払う必要があり、作業効率を低下させる要因となっている。
【０００９】
そこで、本発明の出願人は、特願２００１−０６２５９４号において、間隙ＥにコードＬが侵入しないように間隙Ｅを保護するカバー部材を設け、コードＬの損傷を防止させるコネクタ着脱工具及び補助具の開発に成功している。
【００１０】
本発明は、本出願人の特願２００１−０６２５９４号を改良したものであって、コードと操作レバーを非接触の構成とすることで、コードと作業者の手等とを非接触とさせ、コードの損傷を防止させるとともに作業効率を向上させる着脱工具を提供することを課題とする。
【００１１】
【課題を解決するための手段】前述の課題を解決するため、本発明に係るコネクタ着脱工具は、次のような手段を採用する。
【００１２】
即ち、請求項１に記載のように、光ファイバを挿通するガイド片を長尺に設け、ガイド片の基部側に設けられる把手部と、ガイド片の先端側に設けられコネクタに差し込みされる爪と、把手部の側方から爪を開閉操作可能な間隙を介し、上記ガイド片に対応して長尺に設けられる操作レバーから構成されるとともに、上記間隙を保護するカバー部材を備えることを特徴とする。
【００１３】
この手段では、長尺に設けられるガイド片により、光ファイバと把手部とが離間した位置に構成されて、光ファイバと把手部とが非接触となる。よって、把手部を握る作業者の手等もまた光ファイバに接触することがない。さらに、カバー部材がコネクタ着脱工具のコードの把手部と操作レバーの間へのコードの侵入を阻止する。
【００１４】
また、請求項２に記載のように、請求項１記載のコネクタ着脱工具において、上記ガイド片には、長手方向の長さを調整する調整機構が設けられることを特徴とする。
【００１５】
この手段では、アダプタの過密状態や、光ファイバの延設状態により任意の長さにガイド片の長さを調整することができる。
【００１６】
また、請求項３に記載のように、請求項１又は２記載のコネクタ着脱工具において、上記カバー部材は、上記操作レバーに装着される操作レバー装着部と、上記把手部に装着される把手装着部とを連結する弾性材からなり、上記操作レバー装着部の表面が粗化されていることを特徴とする。
【００１７】
この手段では、操作レバーを操作する際に、粗化された面が操作における滑りを防止させる。
【００１８】
【発明の実施の形態】以下、本発明に係るコネクタ着脱工具の実施の形態を図１〜図６に基づいて説明する。
【００１９】
図１〜図４は、本発明に係るコネクタ着脱工具の実施の形態（１）を示す。
【００２０】
まず、図２、図３において、光ファイバが設置される基地局等でコードがどのように配設されているかを説明する。アダプタＡから延設されるコネクタＣから延びる光ファイバであるコードＬは、その自重によりアダプタＡからある長さのところで自然に垂れ下がっている。この自然に垂れ下がる複数のコードは、過度の曲げ力や剪断力が加わらない所定の位置Ｇで集約されて、整然と配置されている。また、アダプタＡから複数のコードＬの集約点Ｇまでの距離はＷ１であり、光ファイバ、コネクタ、アダプタ等の種類や設置態様によって異なるが、その差異は、最大でも数ｃｍ程度である。
【００２１】
この実施の形態（１）は、本体部Ｘと補助具Ｙの両方で構成される。なお、コネクタ着脱工具に関する実施の形態については、本体部Ｘ、補助具Ｙを不離一体化することも可能である。
【００２２】
この実施の形態（１）の本体部Ｘは、光ファイバのコードＬを挿通するガイド片５と、ガイド片５の基部側に設けられる把手部１と、ガイド片５の先端側に設けられコネクタＣに差し込みされる爪２と、把手部１の側方から爪２を開閉操作可能な間隙Ｅを介して設けられる操作レバー４とから構成される。
【００２３】
ガイド片５には、コネクタＣとコードＬとを案内するガイド溝５ａが形成され、ガイド溝５ａの端部５ｂから把手部１との連結部１ａまで長さが距離αとなるように成形されている。距離αは、集約点ＧのコードＬから離間した位置に操作レバー４の操作部４ａが配設されるように設けられ、ガイド片５は全体として、距離Ｗ１に形成される。なお、その他は前述の従来例（図７）と同様に構成され、本体部Ｘの全長はＷとなっている。
【００２４】
操作レバー４は、ガイド片５の長尺に形成される距離αに対応して長尺に設けられると共に、把手部１の側方から爪２を開閉操作可能な間隙Ｅを介して設けられている。
【００２５】
補助具Ｙは、ゴム等の弾性部材で形成された把手装着部６、操作レバー装着部７、カバー部材８で構成されている。
【００２６】
把手装着部６は、本体部Ｘの把手部１の後端部側から嵌合させて取り付けられるように箱形のキャップで形成されている。
【００２７】
操作レバー装着部７は、本体部Ｘの操作レバー４の操作部４ａ後端部側から嵌合させて取り付けられる薄箱形のキャップで形成されている。
【００２８】
カバー部材８は、把手装着部６、操作レバー装着部７を連結する帯状に形成されている。このカバー部材８については、把手部１、操作レバー４の操作部４ａに押圧嵌合された把手装着部６、操作レバー装着部７に対応して、操作部４ａの操作性を維持するために弾性を備えるのが好ましい。なお、この実施の形態（１）では、操作レバー装着部７の内側、つまり、把手部１側の操作レバー装着部７にガイド部材８が連結されるように形成される。
【００２９】
この実施の形態（１）によると、距離αだけ長尺に設けられるガイド片５により、操作部４ａが複数のコードＬの集約点Ｇよりも遠ざかる方向へ、つまり、コードＬとは離間した位置に配設されるため、把手部１はコードＬに接触しない位置に配置される。よって、作業者が作業する際の作業者の手等はコードＬとは非接触となる。したがって、コネクタＣをアダプタＡから着脱する際にコードＬに過度の負荷（曲げ応力や剪断力など）等を与えずに円滑な作業が提供されるとともに、コードＬの損傷が防止される。
【００３０】
また、図２に示すように、本体部Ｘには補助具Ｙが取り付けられるため、コー把手部１と操作部４ａとの間隙Ｅは、操作レバー４、操作レバー装着部７、カバー部材８、把手装着部６によりいわば閉塞空間状態となる。したがって、コードＬが侵入することがなく、コードＬが間隙Ｅに挟み込まれて損傷することはない。（コードＬは工具の長手方向寸法に比べ十分に長いので上部の間隙Ｅから侵入することがないため）。
【００３１】
また、図４に示すように、本体部Ｘの操作部４ａの操作の際には、操作部４ａの動作に補助具Ｙのカバー部材８が追従して伸縮するため、操作レバー４の操作性が維持される。また、本体部Ｘに補助具Ｙを嵌合させて取り付けるため、補助具Ｙを容易に取り付けることができ、さらには、爪２、ガイド片５等の精密に構成された本体部Ｘの先端部側を損傷することなく、補助具Ｙを取り付けることができる。
【００３２】
図５は、本発明に係るコネクタ着脱工具の実施の形態（２）を示すものである。
【００３３】
この実施の形態（２）は、前述の実施の形態（１）ガイド片５に長さ方向の長さ調整機構２０が設けられている。
【００３４】
図５に示すように、長さ調整機構２０は、ガイド片５と把手部１との連結部付近に設けられ、ガイド片５の長さ調整のため、把手部１には、ガイド片５が移動可能な移動溝２５が設けられている。
【００３５】
図５（ａ）に示す長さ調整機構２０ａは、ガイド片５の基部側を円筒状に形成される調整ボルト部２１ａと、調整ナット２２ａとで構成され、調整ナット２２ａが把手部１の上面側に一部が突出されて設置される。この調整ナット２２ａを右周り又は左周りに回転させることで、ガイド片５が移動溝２５を移動して長さが調整される。
【００３６】
図５（ｂ）に示す長さ調整機構２０ｂは、把手部１の長手方向に長孔２１ｂが形成され、ガイド片５には、この長孔２１ｂに係合してガイド片５のネジ孔２２ｂにネジ止めされる調整ネジ２３ｂが設けられている。この調整ネジは長孔２１ｂの孔よりも長径に形成される調整部２４ｂが設けられ、長孔２１ｂの上面側に当接している。この長さ調整機構２０ｂは、調整ネジ２３ｂを緩めてガイド片５を長手方向に移動させてその長さを調整し、調整した長さに固定するときは、調整ネジ２３ｂを締めることで、調整部２４ｂがネジ孔２２を下方向に移動して長孔２１ｂを押圧する。よって、ガイド片５と把手部１とが互いに圧せられて固定される。
【００３７】
図５（ｃ）に示す長さ調整機構２０ｃは、ガイド片５の長手方向に連続して複数の調整孔２１ｃが形成され、把手部１には調整孔２１ｃに対応して設けられる複数の挿通孔２２ｃが穿孔されている。この調整孔２１ｃと挿通孔２２ｃとには、係合する調整ピン２３ｃが挿通される。したがって、調整ピン２３ｃが調整孔２１ｃに係合していない状態で、ガイド片５の長さを挿通孔２２ｃに応じて調整し、ガイド片を固定する際には、挿通孔２２ｃと調整孔２１ｃとを一致させて調整ピン２３ｃを挿通させる。
【００３８】
この実施の形態（２）によると、前述の実施の形態（１）とほぼ同様の作用，効果が奏されるとともに、アダプタが過密状態の場合や光ファイバの延設状態により任意にガイド片５の長さ（距離α）を調整することができ、光ファイバのコードが操作部４ａと非接触とされる。なお、ガイド片５の長さ調整に際しては、補助具Ｙのガイド部材８の長さも調整しなければならないが、操作レバー４に嵌合する操作レバー装着部操作７の薄箱形のキャップをより長深に形成することで、対応することができる。このように補助具Ｙを構成することで、操作部４ａの動作時には、補助具Ｙの操作レバー装着部７付近のみが追従変形するので、把手部１の操作可能部位（特にコネクタを引き抜く際の操作レバーに触れずに握ることが可能な把手部の長さ）があまり短くならないため、操作レバー４の操作性を良好に維持することができる。
【００３９】
図６は、本発明に係るコネクタ着脱工具の実施の形態（３）を示すものである。
【００４０】
この実施の形態（３）は、前述の実施の形態の補助具Ｙの別形態を示す実施の形態である。
【００４１】
図６（ａ）の補助具Ｙ１は、前述の実施の形態（１）の補助具Ｙの操作レバー装着部７がガイド部材８に対して内側に配設されるように形成されている。（操作レバー装着部７の外側、つまり、両ガイド部材８の内側方向に操作レバー装着部７が配置されるように、操作レバー装着部７とガイド部材８とが連結される。）
【００４２】
図６（ｂ）の補助具Ｙ２は、前述の実施の形態の補助具Ｙの操作レバー装着部７の溝が、挿通されるように形成されている。したがって、操作部４ａの端部を溝に挿通させて装着することで、安定した補助具Ｙ２の装着が可能となり、特に前述の実施の形態（２）の長さ調整機構２０が設けられている場合は、操作レバー装着部７を長深に形成する必要がなく容易にガイド片５の長さ調整に対応できる。
【００４３】
図６（ｃ）の補助具Ｙ３は、把手装着部６に装着される把手部１が把手装着部６を挿通するように端部を切り落とした把手装着部６ａが形成されている。また、上述した補助具Ｙ、Ｙ１、Ｙ２において、図６（ｄ）に示すように、操作部４ａに装着される操作レバー装着部７の表面、特に、間隙Ｅの外側に位置する操作レバー装着部７の表面７ａに微小な突起７ｂを設けて、表面を粗化させている。したがって、操作部４ａを操作して作業している際に作業者の手が滑ることがなく安定した作業を提供することができるとともに、把手装着部６ａにより、長さ調整機構２０の長さに対応した補助具Ｙ３の装着が可能となる。また、把手部１の周囲に係合するように装着される把手装着部６ａは、安定した補助具Ｙ３の装着を提供する。
【００４４】
この実施の形態（３）によれば、前述の実施の形態（１）とほぼ同様の作用，効果が奏されるとともに、本体部Ｘの形状や操作レバー４の配置に応じて補助具Ｙを変更すればたり、コネクタＣやコードの態様に応じて使い分けることもできる。なお、図６（ａ）〜（ｄ）に示した補助具の構成は、各々を組み合わせることも可能であり、上述の構成に限定されない。
【００４５】
なお、各実施の形態のカバー部材は、上記の形状に限定されるものではなく、例えば把手部１をすっぽり覆うような形状であっても、コネクタ脱着の操作を損なわない範囲で把手部、操作レバーの間へのコードの侵入を阻止できる形状であれば構わない。
【００４６】
その他に、長さ調整機構２０は、ガイド片５の長さを調整する機構であれば、その機構、形状等に制限されることはない。
【００４７】
（実施例）
実施の形態（１）に基づきコネクタ着脱工具及び補助具の概要を示す。
【００４８】
図３に示すコネクタ着脱工具の本体部Ｘは、アダプタＡから光ファイバのコードＬの集約点Ｇまでの距離Ｗ１と同様かそれ以上の長さＷ１＝約１６０ｍｍ、全長Ｗ約＝２５５ｍｍに形成され、このときの距離α約＝６０ｍｍとなる。
【００４９】
このとき、把手部１を把手する作業者の手がコードＬに接触せずにコネクタの着脱作業をすることが確認でき、長さ調整機構２０をガイド片５に設けることで、ガイド片５の長さは、約±５０ｍｍの調整が可能となることが確認でき、アダプタＡが過密状態の場合や光ファイバのコードＬの延設状態に応じて異なる集約点Ｇの位置に容易に対応できることも確認できた。
【００５０】
【発明の効果】以上のように、本発明に係るコネクタ着脱工具は、長尺に設けられるガイド片により、操作部が光ファイバとは離間した位置に配設されるため、把手部は光ファイバに接触しない位置に配置されるため、作業者が作業する際の作業者の手等は光ファイバとは非接触となる。したがって、コネクタをアダプタから着脱する際に光ファイバに過度の負荷（曲げ応力や剪断力など）等を与えずに円滑な作業が提供されるとともに、コードの損傷が防止される。
【００５１】
さらに、本発明に係るコネクタ着脱工具は、カバー部材によって把手部、操作レバーの間へのコードの侵入が阻止されるため、操作レバーの操作の際に把手部との間にコードを挟込んで損傷することを防止することができる効果がある。
【図面の簡単な説明】
【図１】本発明に係るコネクタ着脱工具の補助具およびコネクタ着脱用工具の実施の形態（１）を示す斜視図である。
【図２】図１のコネクタ着脱工具の作業時における斜視図である。
【図３】図２の側面図である。
【図４】図１の平面図である。
【図５】本発明に係るコネクタ着脱工具の実施の形態（２）を示す要部の略図と断面図である。
【図６】本発明に係るコネクタ着脱工具の実施の形態（３）を示す平面図である。
【図７】従来例に係るコネクタ着脱工具を示す斜視図である。
【符号の説明】
１　　　　　　　　把手部
２　　　　　　　　爪
４　　　　　　操作レバー
４ａ　　　　　操作部
５　　　　　　ガイド片
６　　　　　　把手装着部
７　　　　　　操作レバー装着部
８　　　　　　カバー部材
９　　　　　　バネ部材
２０　　　　　　長さ調整機構
Ｘ　　　　　　本体部
Ｙ　　　　　　補助具
【図１】
2004101561.tif 000003
【図２】
2004101561.tif 000004
【図３】
2004101561.tif 000005
【図４】
2004101561.tif 000006
【図５】
2004101561.tif 000007
【図６】
2004101561.tif 000008
【図７】
2004101561.tif 000009